(57)【要約】      （修正有）【課題】遮熱性を向上できる合成スラブ端部構造を提供する。【解決手段】合成スラブ端部構造１００において、合成スラブ１の端部１ａには、ひびが当該合成スラブ１の上面１ｂ側へ向かうことを抑制するひび割れ方向制御構造２０が設けられる。ひび割れ方向制御構造２０は、合成スラブ１の内部に設けられたＬ字筋３０を備え、Ｌ字筋の長辺部３１は、少なくともデッキプレート１０よりも高い位置において水平方向に沿って配置され、Ｌ字筋の短辺部３２は、合成スラブ１の外周縁側において、長辺部３１から下方へ延びる。ひび割れが発生したとしても、ひびは、ひび割れ方向制御構造２０によってひび割れ方向を制御されることで、合成スラブ１の上側へ向かうことを抑制される。従って、ひびが合成スラブの上面１ｂに到達することが抑制され、合成スラブ１の下面１ｄが加熱面となっても、ひびを介して上面１ｂの温度が上昇することが抑制される。【選択図】図１
0003233571.tif 000002
【実用新案登録請求の範囲】
【請求項１】
デッキプレート及びコンクリートを有する合成スラブと、
前記合成スラブの端部と下面側で接合される梁と、を備える合成スラブ端部構造であって、
前記合成スラブの端部には、ひび割れの方向を制御するひび割れ方向制御構造が設けられる、合成スラブ端部構造。
【請求項２】
前記ひび割れ方向制御構造は、前記合成スラブの内部に設けられたＬ字筋を備え、
前記Ｌ字筋の長辺部は、少なくとも前記デッキプレートよりも高い位置において水平方向に沿って配置され、
前記Ｌ字筋の短辺部は、前記合成スラブの外周縁側において、前記長辺部から下方へ延びる、請求項１に記載の合成スラブ端部構造。
【請求項３】
前記合成スラブの内部には、前記デッキプレートの上方にひび割れ拡大防止筋が設けられ、
前記Ｌ字筋の前記長辺部は、前記ひび割れ拡大防止筋上に載せられる、請求項２に記載の合成スラブ端部構造。
【請求項４】
前記合成スラブの内部には、前記デッキプレートの上方にひび割れ拡大防止筋が設けられ、
前記Ｌ字筋の前記長辺部は、前記ひび割れ拡大防止筋の下側の位置において、当該ひび割れ拡大防止筋に連結される、請求項２に記載の合成スラブ端部構造。
【請求項５】
前記合成スラブの内部には、前記デッキプレートの上方にひび割れ拡大防止筋が設けられ、
前記ひび割れ方向制御構造は、前記合成スラブの内部に設けられ、前記ひびの方向を制御するメッシュ状のひび割れ方向制御筋を有する、請求項１に記載の合成スラブ端部構造。
【請求項６】
前記ひび割れ方向制御筋は、前記デッキプレート上に載せられる、請求項５に記載の合成スラブ端部構造。
【請求項７】
前記ひび割れ方向制御筋は、前記ひび割れ拡大防止筋の下側の位置において、当該ひび割れ拡大防止筋に連結される、請求項５に記載の合成スラブ端部構造。
【請求項８】
前記ひび割れ方向制御構造は、前記合成スラブの内部に設けられ、上下方向に延びるように設けられるＵ字筋を有する、請求項１に記載の合成スラブ端部構造。
【考案の詳細な説明】
【技術分野】
【０００１】
本考案は、合成スラブ端部構造に関する。
【背景技術】
【０００２】
従来の合成スラブ端部構造として、特許文献１に記載されたものが知られている。この合成スラブ端部構造は、デッキプレート及びコンクリートを有する合成スラブと、合成スラブの端部と接合される梁と、を備える。合成スラブの内部には、メッシュ状のひび割れ拡大防止筋が配置されている。
【先行技術文献】
【特許文献】
【０００３】
【特許文献１】特開２０２０−４１３４８号公報
【考案の概要】
【考案が解決しようとする課題】
【０００４】
ここで、上述のような合成スラブは、耐火構造として設計される場合がある。このように、耐火構造として設計される場合、合成スラブにひび割れが発生する場合であっても、十分な遮熱性を確保することが望まれる。遮熱性については、例えば「一般財団法人  日本建築総合試験所」の「防耐火性能試験・評価業務方法書」で評価方法が定められているように、合成スラブ端部構造にとって重要な性能である。これは、下階で火災が発生した場合でも床上の温度が可燃物の発火温度まで上昇しないことを確かめるものであり、合成スラブの上面にひび割れが入ってしまうと、発火温度まで早期に達してしまう恐れがある。遮熱性は、延焼拡大が起きてしまうことを防止するために重要な指標である。しかしながら、上述の合成スラブ端部構造では、梁側で発生したひびが、合成スラブの上面に達する場合がある。この場合、下面側が加熱された場合に、加熱面である下面のみならず、上面の温度も上昇する可能性がある。
【０００５】
本考案は、このような課題を解決するためになされたものであり、遮熱性を向上できる合成スラブ端部構造を提供することを目的とする。
【課題を解決するための手段】
【０００６】
本考案に係る合成スラブ端部構造は、デッキプレート及びコンクリートを有する合成スラブと、合成スラブの端部と下面側で接合される梁と、を備える合成スラブ端部構造であって、合成スラブの端部には、ひび割れの方向を制御するひび割れ方向制御構造が設けられる。
【０００７】
本考案に係る合成スラブ端部構造において、合成スラブの端部には、ひび割れの方向を制御するひび割れ方向制御構造が設けられる。このため、ひび割れが発生したとしても、ひびは、ひび割れ方向制御構造によってひび割れ方向を制御されることで、合成スラブの上側へ向かうことを抑制される。従って、ひびが合成スラブの上面に到達することが抑制され、合成スラブの下面が加熱面となっても、ひびを介して上面の温度が上昇することが抑制される。以上より、合成スラブ端部構造の遮熱性を向上することができる。
【０００８】
ひび割れ方向制御構造は、合成スラブの内部に設けられたＬ字筋を備え、Ｌ字筋の長辺部は、少なくともデッキプレートよりも高い位置において水平方向に沿って配置され、Ｌ字筋の短辺部は、合成スラブの外周縁側において、長辺部から下方へ延びてよい。この場合、長辺部は、デッキプレートよりも高い位置を補強することにより、ひびが上面側へ向かって進行することを抑制できる。更に、短辺部は、合成スラブの外周縁付近において、合成スラブを上下方向に補強できる。従って、長辺部によって外周縁側へ誘導されたひびが、外周縁付近で上方へ向かうことを抑制できる。
【０００９】
合成スラブの内部には、デッキプレートの上方にひび割れ拡大防止筋が設けられ、Ｌ字筋の長辺部は、ひび割れ拡大防止筋上に載せられてよい。この場合、長辺部をひび割れ拡大防止筋に載せるだけでＬ字筋の位置決めを行うことができるので、施工が容易となる。
【００１０】
合成スラブの内部には、デッキプレートの上方にひび割れ拡大防止筋が設けられ、Ｌ字筋の長辺部は、ひび割れ拡大防止筋の下側の位置において、当該ひび割れ拡大防止筋に連結されてよい。この場合、ひび割れ拡大防止筋の下側の位置にて、Ｌ字筋を容易に位置決めすることができる。
【００１１】
合成スラブの内部には、デッキプレートの上方にひび割れ拡大防止筋が設けられ、ひび割れ方向制御構造は、合成スラブの内部に設けられ、ひびの方向を制御するメッシュ状のひび割れ方向制御筋を有してよい。この場合、ひび割れ方向制御筋が、ひび割れ拡大防止筋と別の位置で合成スラブを補強することで、ひびが上側へ向かうことを抑制することができる。
【００１２】
ひび割れ方向制御筋は、デッキプレート上に載せられてよい。この場合、ひび割れ方向制御筋をデッキプレート上に載せるだけで位置決めを行うことができるので、施工が容易となる。
【００１３】
ひび割れ方向制御筋は、ひび割れ拡大防止筋の下側の位置において、当該ひび割れ拡大防止筋に連結されてよい。この場合、ひび割れ拡大防止筋の下側の位置にて、ひび割れ方向制御筋を容易に位置決めすることができる。
【考案の効果】
【００１４】
本考案によれば、遮熱性を向上できる合成スラブ端部構造を提供することができる。
【図面の簡単な説明】
【００１５】
【図１】本考案の実施形態に係る合成スラブ端部構造を幅方向から見た図である。
【図２】合成スラブ端部構造をスパン方向から見た図である。
【図３】変形例に係る合成スラブ端部構造を幅方向から見た図である。
【図４】比較例に係る合成スラブ端部構造を幅方向から見た図である。
【図５】図１に示す合成スラブ端部構造のひび割れの様子を示す図である。
【図６】比較例に係る合成スラブ端部構造を幅方向から見た図である。
【図７】変形例に係る合成スラブ端部構造を幅方向から見た図である。
【図８】変形例に係る合成スラブ端部構造を幅方向から見た図である。
【図９】変形例に係る合成スラブ端部構造を幅方向から見た図である。
【図１０】変形例に係る合成スラブ端部構造を幅方向から見た図である。
【図１１】変形例に係る合成スラブ端部構造をスパン方向から見た図である。
【考案を実施するための形態】
【００１６】
以下、本考案の好適な実施形態について、図面を参照しながら説明する。
【００１７】
図１は、本考案の実施形態に係る合成スラブ端部構造１００を幅方向Ｄ２から見た図である。図２は、合成スラブ端部構造１００をスパン方向から見た図である。ただし、図１では、合成スラブ１の内部構造が示されるように、コンクリート２は任意の位置での断面が示されている。図１に示すように、合成スラブ端部構造１００は、デッキプレート１０及びコンクリート２を有する合成スラブ１と、合成スラブ１の端部１ａと下面１ｄ側で接合される梁３と、を備える。合成スラブ１は、平板状の構造物である。梁３は、その上面３ａで、合成スラブ１の端部１ａの下面１ｄを支持する。
【００１８】
図２に示すように、デッキプレート１０は、上方へ突出する山部１０ｅと、一対の山部１０ｅ間の溝部１０ｄと、を有する。山部１０ｅの上端１０ｃは、平板状に広がっている。また、溝部１０ｄの下端も平板状に広がっている。溝部１０ｄの下面は、梁３の上面上に載置される。なお、山部１０ｅ及び溝部１０ｄが延びる方向をスパン方向Ｄ１と称し、山部１０ｅ及び溝部１０ｄが並んでいる方向を幅方向Ｄ２と称する。
【００１９】
コンクリート２は、デッキプレート１０の溝部１０ｄの内部に充填された状態で、山部１０ｅの上端１０ｃよりも高い位置まで充填される。コンクリート２は、デッキプレート１０の上端１０ｃから上方へ所定寸法だけ離間した位置に、水平方向に広がる上面を有する。コンクリート２の上面によって合成スラブ１の上面１ｂが構成される。図１に示すように、コンクリート２のスパン方向Ｄ１における端部は、デッキプレート１０のスパン方向Ｄ１における端部１０ａよりも外周側に配置される。従って、コンクリート２のスパン方向Ｄ１の端部によって合成スラブ１の外周縁１ｃが構成される。コンクリート２のうち、デッキプレート１０の端部１０ａよりも外周縁１ｃ側の部分は、梁３の上面３ａに接合される。
【００２０】
合成スラブ１の内部の構造について説明する。合成スラブ１の内部には、梁３の上面３ａから上方へ延びるスタッド１１が設けられている。スタッド１１は、上下方向に延びる軸部１１ａと、軸部１１ａの上端に設けられた頭部１１ｂと、を有する。頭部１１ｂは、軸部１１ａよりも外径が大きく形成された部分である。スタッド１１は、スパン方向Ｄ１において、デッキプレート１０の端部１０ａよりも外周縁１ｃ側に設けられる。本実施形態では、スタッド１１は、梁３のスパン方向Ｄ１において、例えば梁端から４ｃｍより内側の位置に設けられる。スタッド１１の頭部１１ｂは、デッキプレート１０の上端１０ｃよりも高い位置に配置される。スタッド１１は、幅方向Ｄ２においてデッキプレート１０の溝部１０ｄの中央位置に配置される（図２参照）。
【００２１】
合成スラブ１の内部には、デッキプレート１０の上方にひび割れ拡大防止筋１２が設けられる。ひび割れ拡大防止筋１２は、複数の鉄筋１３を交差させて互いに接合させて組み合わせることによって構成されたメッシュ状の部材である。ひび割れ拡大防止筋１２は、合成スラブ１のコンクリート２にひび割れが発生した場合、ひびが拡大することを防止するための部材である。ひび割れ拡大防止筋１２は、「デッキプレート床構造設計・施工規準２０１８  ２０１８年１２月改定  一般社団法人  日本鋼構造協会」の２６，２７ページにおいて開示されている「ひび割れ拡大防止筋」と同趣旨のものである。ひび割れ拡大防止筋１２は、デッキプレート１０の上端１０ｃよりも高い位置において、コンクリート２の略全域にわたってスパン方向Ｄ１及び幅方向Ｄ２に広がっている。なお、図においては、ひび割れ拡大防止筋１２は、スタッド１１よりも高い位置に配置されているが、スタッド１１の頭部１１ｂよりも低い位置に配置されてもよい。ひび割れ拡大防止筋１２は、合成スラブ１の上面１ｂから下方へ離間した位置（特に限定されないが上面１ｂから３０ｍｍ程度下方の位置）に配置される。ひび割れ拡大防止筋１２の端部１２ａは、スタッド１１よりも外周縁１ｃ側の位置に配置され、外周縁１ｃから内側に離間した位置（特に限定されないが外周縁１ｃから３０ｍｍ程度内側の位置）に配置される。
【００２２】
合成スラブ１の端部１ａには、ひびが当該合成スラブ１の上側（上面１ｂ側）へ向かうことを抑制するひび割れ方向制御構造２０が設けられる。ひび割れ方向制御構造２０は、ひびを上面１ｂに達しないように、外周縁１ｃへ向かわせるようにひび割れ方向を制御する。本実施形態では、ひび割れ方向制御構造２０は、合成スラブ１の内部に設けられたＬ字筋３０を備える。
【００２３】
Ｌ字筋３０は、長辺部３１と、短辺部３２と、を備える。短辺部３２は、長辺部３１よりも短く、且つ、長辺部３１に直交するように接合された部分である。Ｌ字筋３０は一本の鉄筋を屈曲させることによって構成される。あるいは、Ｌ字筋３０は、複数の鉄筋同士溶接などの接合方法によって接合させることによって構成されてもよい。
【００２４】
Ｌ字筋３０の長辺部３１は、少なくともデッキプレート１０よりも高い位置において水平方向に沿って配置される。長辺部３１は、スパン方向Ｄ１に対して平行をなすように延びる。長辺部３１の水平方向の寸法は、２００ｍｍ以上であってよい。Ｌ字筋３０の短辺部３２は、合成スラブ１の外周縁１ｃ側において、長辺部３１から下方へ延びる。短辺部３２は、長辺部３１の外周縁１ｃ側の端部から上下方向と平行をなすように延びる。短辺部３２の上下方向の寸法は、１００ｍｍ以上であってよい。また、Ｌ字筋３０を構成する鉄筋の外径は、Ｄ１０以上であってよい。本実施形態では、Ｌ字筋３０は、幅方向Ｄ２において、スタッド１１と同じ位置に配置されているが、幅方向Ｄ２の位置は特に限定されない。
【００２５】
本実施形態では、Ｌ字筋３０の長辺部３１は、ひび割れ拡大防止筋１２上に載せられる。したがって、長辺部３１は、合成スラブ１の上面１ｂとひび割れ拡大防止筋１２との間であって、ひび割れ拡大防止筋１２の直上に配置される。短辺部３２は、合成スラブ１の外周縁１ｃとデッキプレート１０の端部１０ａとの間の領域に配置されている。ここでは、短辺部３２は、ひび割れ拡大防止筋１２の幅方向Ｄ２に延びる鉄筋１３のうち、最も外周縁１ｃ側に配置されている鉄筋１３と外周縁１ｃ側で隣接するように配置される。短辺部３２の下端部は、デッキプレート１０の上端１０ｃ及びスタッド１１の頭部１１ｂよりも低い位置であって、梁３の上面３ａから上方へ離間した位置に配置される。
【００２６】
なお、上下方向において、長辺部３１は、ひび割れ拡大防止筋１２とデッキプレート１０の上端１０ｃとの間、あるいはひび割れ拡大防止筋１２より高い位置に配置されていればよい。長辺部３１は、スタッド１１の頭部１１ｂと同位置（図３の長辺部３１）または頭部１１ｂより高い位置に配置されていればよいし、スタッド１１の頭部１１ｂより低い位置に配置されてもよい。また、水平方向において、短辺部３２は、デッキプレート１０の端部１０ａより外周縁１ｃ側の位置に配置されていればよい。水平方向において、短辺部３２は、スタッド１１と同位置（図３の短辺部３２）またはスタッド１１より外周縁１ｃ側の位置に配置されていればよいし、スタッド１１より端部１０ａ側に配置されてもよい。なお、図３のように、長辺部３１がひび割れ拡大防止筋１２の下側の位置に配置される場合、ひび割れ拡大防止筋１２に連結されてよい。長辺部３１は、結束線などで結束されることで、ひび割れ拡大防止筋１２に連結されてよい。
【００２７】
次に、本実施形態に係る合成スラブ端部構造１００の作用・効果について説明する。
【００２８】
まず、図４を参照して比較例に係る合成スラブ端部構造２００について説明する。合成スラブ端部構造２００は、ひび割れ方向制御構造２０を有していない点で、本実施形態に係る合成スラブ端部構造１００と相違する。図４（ａ）に示すように、合成スラブ端部構造２００では、高荷重・長スパンの荷重が作用した場合に、梁３側で発生したひびＣＲが、合成スラブ１の上面１ｂに達する場合がある。この場合、下面１ｄ側が加熱された場合に、加熱面である下面１ｄのみならず、上面１ｂの温度も上昇する可能性がある。このように、十分な遮熱性を確保出来ないという問題がある。また、合成スラブ端部構造２００では、合成スラブ１と梁３との縁が切れるようなひびＣＲが発生する可能性があり、この場合、本来の回転剛性を発揮できなくなるという問題がある。合成スラブ端部構造２００の遮熱性及び非損傷性を確保するには、図４（ｂ）に示すように、合成スラブ１と梁３との接合部分が破壊されるか、図４（ｃ）に示すように、ひびＣＲが上面１ｂに到達することなく外周縁１ｃに逸れることが好ましい。
【００２９】
これに対し、本実施形態に係る合成スラブ端部構造１００において、合成スラブ１の端部１ａには、ひびが当該合成スラブ１の上面１ｂ側へ向かうことを抑制するひび割れ方向制御構造２０が設けられる。このため、ひび割れが発生したとしても、ひびＣＲは、ひび割れ方向制御構造２０によってひび割れ方向を制御されることで、合成スラブ１の上側へ向かうことを抑制される。従って、ひびＣＲが合成スラブの上面１ｂに到達することが抑制され、合成スラブ１の下面１ｄが加熱面となっても、ひびＣＲを介して上面１ｂの温度が上昇することが抑制される。以上より、合成スラブ端部構造１００の遮熱性を向上することができる。
【００３０】
ひび割れ方向制御構造２０は、合成スラブ１の内部に設けられたＬ字筋３０を備え、Ｌ字筋３０の長辺部３１は、少なくともデッキプレート１０よりも高い位置において水平方向に沿って配置され、Ｌ字筋３０の短辺部３２は、合成スラブ１の外周縁１ｃ側において、長辺部３１から下方へ延びてよい。この場合、長辺部３１は、デッキプレート１０よりも高い位置を補強することにより、ひびＣＲが上面１ｂ側へ向かって進行することを抑制できる。更に、短辺部３２は、合成スラブ１の外周縁１ｃ付近において、合成スラブ１を上下方向に補強できる。従って、長辺部３１によって外周縁１ｃ側へ誘導されたひびＣＲが、外周縁１ｃ付近で上方へ向かうことを抑制できる。具体的には、図５に示すように、合成スラブ１と梁３との接合部分が破壊されるか、ひびＣＲが発生したとしても、上面１ｂに到達しないように制御される。
【００３１】
合成スラブ１の内部には、デッキプレート１０の上方にひび割れ拡大防止筋１２が設けられ、Ｌ字筋３０の長辺部３１は、ひび割れ拡大防止筋１２上に載せられてよい。この場合、長辺部３１をひび割れ拡大防止筋１２に載せるだけでＬ字筋３０の位置決めを行うことができるので、施工が容易となる。
【００３２】
合成スラブ１の内部には、デッキプレート１０の上方にひび割れ拡大防止筋１２が設けられ、Ｌ字筋３０の長辺部３１は、ひび割れ拡大防止筋１２の下側の位置において、当該ひび割れ拡大防止筋１２に連結されてよい。この場合、ひび割れ拡大防止筋１２の下側の位置にて、Ｌ字筋３０を容易に位置決めすることができる。
【００３３】
なお、図６（ａ）（ｂ）に示す比較例に係る合成スラブ端部構造３００は、梁３の上面３ａから上方にスペーサ３０１を立ち上げている。スペーサ３０１の下端は梁３の上面３ａに溶接等によって固定され、スペーサ３０１の上端部はひび割れ拡大防止筋１２と結束線などによって連結されている。このような、ひび割れ拡大防止筋１２を単純に梁３と連結させただけの構造は、本実施形態におけるひび割れ方向制御構造２０に含まれないものとする。スペーサ３０１は、合成スラブ１の端部１ａを補強するものの、ひび割れが入らない様に機能するものであり、ひび割れが発生したときに、ひびの方向を制御するものではない。本願のひび割れ方向制御構造２０は、コンクリート２内で梁３から離間した状態で配置された部材（ここではＬ字筋３０）によって構成されている。
【００３４】
本考案は上述の実施形態に限定されるものではない。
【００３５】
例えば、図７に示すような合成スラブ端部構造４００を採用してもよい。合成スラブ端部構造４００では、ひび割れ方向制御構造２０が、合成スラブ１の内部に設けられ、ひびの方向を制御するメッシュ状のひび割れ方向制御筋５０を有している。ひび割れ方向制御筋５０は、ひび割れ拡大防止筋１２と同様なメッシュ状の部材によって構成されている。ひび割れ方向制御筋５０は、ひび割れ拡大防止筋１２とは異なる高さ位置に配置されている。また、平面方向においてひび割れ方向制御筋５０が設けられる範囲は、合成スラブ１の端部１ａ付近の一部の領域である。
【００３６】
ひび割れ方向制御筋５０の鉄筋径及びピッチは、φ６ｍｍで１５０ｍｍ以下であってよく、Ｄ１０で２００ｍｍ以下であってよい。また、ひび割れ方向制御筋５０の水平方向の位置について、当該ひび割れ方向制御筋５０の外周縁１ｃ側の端部５０ａが、デッキプレート１０の端部１０ａよりも外周縁１ｃ側に配置されてよい。また、反対側の端部５０ｂは、デッキプレート１０の端部１０ａから内周側へ２００ｍｍ以上離れた位置に配置されてよい。なお、ひび割れ方向制御筋５０は、幅方向Ｄ２において、ひび割れ拡大防止筋１２と同じ範囲に設けられてよい。ひび割れ方向制御筋５０は、上下方向において、梁３の上面３ａから３０ｍｍ以上の範囲に配置されてよい。また、ひび割れ方向制御筋５０はデッキプレート１０の上端１０ｃと同じ位置または上端１０ｃよりも高い位置に配置されてよい。また、ひび割れ方向制御筋５０はひび割れ拡大防止筋１２と同位置またはひび割れ拡大防止筋１２より低い位置に配置されてよい。
【００３７】
図７に示す例では、ひび割れ方向制御筋５０は、デッキプレート１０上に載せられている。すなわち、ひび割れ方向制御筋５０は、デッキプレート１０の上端１０ｃの上に載置された状態で、当該デッキプレート１０に下方から支持されている。外周縁１ｃ側の端部５０ａは、ひび割れ拡大防止筋１２とスパン方向Ｄ１において略同位置に配置されている。
【００３８】
このような合成スラブ端部構造４００によれば、ひび割れ方向制御構造２０は、合成スラブ１の内部に設けられ、ひびの方向を制御するメッシュ状のひび割れ方向制御筋５０を有している。この場合、ひび割れ方向制御筋５０が、ひび割れ拡大防止筋１２と別の位置で合成スラブ１を補強することで、ひびが上側へ向かうことを抑制することができる。例えば、図７（ｂ）に示すように、梁３から上方へ向かうひびＣＲは、ひび割れ方向制御筋５０で補強された箇所において、上方へ向かうことが抑制されており、ひびＣＲは、外周縁１ｃ側へ逸れて当該外周縁１ｃに到達している。
【００３９】
また、ひび割れ方向制御筋５０は、デッキプレート１０上に載せられてよい。この場合、ひび割れ方向制御筋５０をデッキプレート１０上に載せるだけで位置決めを行うことができるので、施工が容易となる。
【００４０】
また、ひび割れ方向制御筋５０は、図８に示すような配置とされてもよい。すなわち、ひび割れ方向制御筋５０は、ひび割れ拡大防止筋１２の下側の位置において、当該ひび割れ拡大防止筋１２に連結されてよい。この場合、ひび割れ拡大防止筋１２の下側の位置にて、ひび割れ方向制御筋５０を容易に位置決めすることができる。なお、連結方法は特に限定されないが、ひび割れ方向制御筋５０は、結束線でひび割れ拡大防止筋１２に連結されてよい。
【００４１】
また、上述の各形態では、コンクリート２の内部にはスタッド１１が設けられていたが、例えば、図９に示すように、スタッド１１が省略されてもよい。図９では、図１の構造からスタッド１１を省略したものを例示したが、他の形態の構造からスタッド１１を省略してもよい。
【００４２】
また、図１０及び図１１に示す合成スラブ端部構造５００が採用されてよい。合成スラブ端部構造５００では、ひび割れ方向制御構造２０が、合成スラブ１の内部に設けられ、上下方向に延びるように設けられるＵ字筋５３０を有している。この場合、Ｕ字筋５３０が、ひび割れの方向を制御することができる。Ｕ字筋５３０のスパン方向における位置は特に限定されないが、デッキプレート１０の端部１０ａよりも合成スラブ１の外周縁１ｃ側に配置されてよい。Ｕ字筋５３０の長さは、Ｌ字筋３０の短辺部３２と同様の長さに設定されてよく、例えば１００ｍｍ以上に設定してよい。Ｕ字筋５３０の幅方向における位置は、特に限定されず、Ｌ字筋３０と同様であってよい。Ｕ字筋５３０は、ひび割れ拡大防止筋１２を跨いた状態で下方へ延びるように設けられてよい。Ｕ字筋５３０は、ひび割れ拡大防止筋１２の一本の鉄筋を跨いた状態で、互いに並んだ状態で下方へ延びる辺部５３１及び辺部５３２を有する。
【００４３】
一形態に係る合成スラブ端部構造は、デッキプレート及びコンクリートを有する合成スラブと、合成スラブの端部と下面側で接合される梁と、を備える合成スラブ端部構造であって、合成スラブの端部には、ひびが当該合成スラブの上側へ向かうことを抑制するひび割れ方向制御構造が設けられる。
【符号の説明】
【００４４】
１…合成スラブ、２…コンクリート、３…梁、１０…デッキプレート、１２…ひび割れ拡大防止筋、２０…ひび割れ方向制御構造、３０…Ｌ字筋、３１…長辺部、３２…短辺部、５０…ひび割れ方向制御筋、１００，４００，５００…合成スラブ端部構造。
【図１】
0003233571.tif 000003
【図２】
0003233571.tif 000004
【図３】
0003233571.tif 000005
【図４】
0003233571.tif 000006
【図５】
0003233571.tif 000007
【図６】
0003233571.tif 000008
【図７】
0003233571.tif 000009
【図８】
0003233571.tif 000010
【図９】
0003233571.tif 000011
【図１０】
0003233571.tif 000012
【図１１】
0003233571.tif 000013